(57)【要約】  空気調和機の室内機は、筐体と、熱交換器と、フレア接続部と、ドレンパンと、冷媒漏洩検知手段と、制御装置と、を備えている。筐体の内部は、前後方向と直交する横幅方向に区画された熱交換器室及び機械室を有している。熱交換器室には、熱交換器及びドレンパンが配置されている。機械室には、上方に制御装置が配置され、下方にフレア接続部及び冷媒漏洩検知手段が配置されている。冷媒漏洩検知手段は、フレア接続部に対向して配置され、且つドレンパンの側面と筐体の内側面との間に、少なくとも外郭の一部が収まるように配置されている。
2020179007.tif 000002
【特許請求の範囲】
【請求項１】
前面側に位置する吸込口、前記吸込口よりも上方に位置する吹出口、及び前記吸込口から前記吹出口に至る風路が形成された筐体と、
前記風路に設けられた熱交換器と、
前記熱交換器に冷媒を供給する配管を室外機側に接続された配管に接続するフレア接続部と、
前記熱交換器の下方に配置されたドレンパンと、
漏洩した冷媒を検知する冷媒漏洩検知手段と、
前記冷媒漏洩検知手段の検知情報に基づいて冷媒が漏洩しているか否かを判断する制御装置と、を備え、
前記筐体の内部は、前後方向と直交する横幅方向に区画された熱交換器室及び機械室を有し、
前記熱交換器室には、前記熱交換器及び前記ドレンパンが配置され、
前記機械室には、上方に前記制御装置が配置され、下方に前記フレア接続部及び前記冷媒漏洩検知手段が配置されており、
前記冷媒漏洩検知手段は、前記フレア接続部に対向して配置され、且つ前記ドレンパンの側面と前記筐体の内側面との間に、少なくとも外郭の一部が収まるように配置されている、空気調和機の室内機。
【請求項２】
前記筐体には、空調対象空間と前記機械室とを連通させ、前記空調対象空間の空気を内部に取り入れる空気取込孔が形成されており、
前記冷媒漏洩検知手段は、前記空気取込孔よりも下方となる位置に配置されている、請求項１に記載の空気調和機の室内機。
【請求項３】
前記ドレンパンは、内底面を背面側から前面側に向かって低くなるように傾斜させた構成とされている、請求項１又は２に記載の空気調和機の室内機。
【請求項４】
前記冷媒漏洩検知手段は、冷媒センサーと、前記冷媒センサーを内部に収容して保護するホルダ部材と、を有し、
前記ホルダ部材には、前記ドレンパンと対向する側の側面にスリットが形成されている、請求項３に記載の空気調和機の室内機。
【請求項５】
前記ドレンパンは、内底面を前記熱交換器室から前記機械室に向かって低くなるように傾斜させた構成とされている、請求項１〜４のいずれか一項に記載の空気調和機の室内機。
【請求項６】
前記ドレンパンの内底面には、前記熱交換器室から前記機械室に向かって長さを有する凸部が設けられている、請求項１〜５のいずれか一項に記載の空気調和機の室内機。
【発明の詳細な説明】
【技術分野】
【０００１】
本発明は、冷媒漏洩検知手段を備えた空気調和機の室内機に関するものである。
【背景技術】
【０００２】
近年、空気調和機では、Ｒ４１０に代わる冷媒として地球温暖化係数の少ないＲ３２冷媒などの可燃性冷媒を用いた構成が知られている。しかし、可燃性冷媒は、例えば熱交換器から漏洩してドレンパンに流入し、該ドレンパンから溢れたり、室内機の内部に設けた冷媒配管の接続部分から漏洩したりするおそれがある。可燃性冷媒は、空気よりも比重が重いため、空調対象空間の床面周辺に流れて滞留しやすく、火災又は酸欠の原因を引き起こす場合がある。特に床置き形の室内機では、漏洩した可燃性冷媒が床面周辺又は室内機の内部に滞留しやすく、拡散し難い状況であり、火災又は酸欠を引き起こしやすい原因となっていた。【０００３】
そこで、例えば特許文献１の空気調和機の室内機では、床置き形の室内機の内部において、ドレンパンと同じ高さ又はドレンパンよりも下方であり、かつ奥行方向においてドレンパンと異なる位置に冷媒ガス検出センサーを配置した構成が開示されている。また、この室内機の内部では、室内熱交換器から延びる冷媒配管と、室外機から延びる連絡配管とが、接続部を介して接続されている。接続部は、冷媒ガス検出センサーから離れた上方に配置されている。
【先行技術文献】
【特許文献】
【０００４】
【特許文献１】特開２０１６−９０１０９号公報
【発明の概要】
【発明が解決しようとする課題】
【０００５】
特許文献１の空気調和機の室内機では、奥行方向において冷媒ガス検出センサーをドレンパンから離し、ドレンパンが受け止めた凝縮水が冷媒ガス検出センサーにかからないように配置している。そのため、この室内機では、熱交換器から漏洩してドレンパンに流入した可燃性冷媒を冷媒ガス検出センサーが素早く検出できないおそれがある。また、この室内機では、冷媒配管の接続部が冷媒ガス検出センサーから離れた上方に配置されているので、当該接続部から漏洩した可燃性冷媒も素早く検出できないおそれがある。【０００６】
本発明は、以上のような課題を解決するためになされたもので、熱交換器から漏洩してドレンパンに流入した可燃性冷媒、及び冷媒配管の接続部から漏洩した可燃性冷媒を素早く検知することができる、空気調和機の室内機を提供することを目的としている。
【課題を解決するための手段】
【０００７】
本発明に係る空気調和機の室内機は、前面側に位置する吸込口、前記吸込口よりも上方に位置する吹出口、及び前記吸込口から前記吹出口に至る風路が形成された筐体と、前記風路に設けられた熱交換器と、前記熱交換器に冷媒を供給する配管を室外機側に接続された配管に接続するフレア接続部と、前記熱交換器の下方に配置されたドレンパンと、漏洩した冷媒を検知する冷媒漏洩検知手段と、前記冷媒漏洩検知手段の検知情報に基づいて冷媒が漏洩しているか否かを判断する制御装置と、を備え、前記筐体の内部は、前後方向と直交する横幅方向に区画された熱交換器室及び機械室を有し、前記熱交換器室には、前記熱交換器及び前記ドレンパンが配置され、前記機械室には、上方に前記制御装置が配置され、下方に前記フレア接続部及び前記冷媒漏洩検知手段が配置されており、前記冷媒漏洩検知手段は、前記フレア接続部に対向して配置され、且つ前記ドレンパンの側面と前記筐体の内側面との間に、少なくとも外郭の一部が収まるように配置されているものである。
【発明の効果】
【０００８】
本発明によれば、冷媒漏洩検知手段が、フレア接続部に対向して配置され、且つドレンパンの側面と筐体の内側面との間に、少なくとも外郭の一部が収まるように配置されているので、熱交換器から漏洩してドレンパンに流入した可燃性冷媒、及びフレア接続部から漏洩した可燃性冷媒のいずれも素早く検知することができる。
【図面の簡単な説明】
【０００９】
【図１】本発明の実施の形態に係る空気調和機の室内機であって、筐体の前面部を取り外した状態を示した斜視図である。
【図２】本発明の実施の形態に係る空気調和機の室内機の内部構成を示した斜視図である。
【図３】本発明の実施の形態に係る空気調和機の室内機の内部構成を示した正面図である。
【図４】図３に示したＡ−Ａ線矢視断面である。
【図５】図３に示したＢ−Ｂ線矢視断面である。
【図６】図２のＣ部拡大図である。
【図７】図３のＤ部拡大図である。
【図８】図３のＤ部を側面方向から見た状態を示した拡大図である。
【図９】図３のＤ部におけるＥ−Ｅ線矢視断面である。
【図１０】本発明の実施の形態に係る空気調和機の室内機のドレンパンの断面図である。
【図１１】本発明の実施の形態に係る空気調和機の室内機の冷媒漏洩検知手段の斜視図である。
【図１２】本発明の実施の形態に係る空気調和機の室内機の冷媒漏洩検知手段の正面図である。
【図１３】本発明の実施の形態に係る空気調和機の室内機の冷媒漏洩検知手段の平面図である。
【図１４】本発明の実施の形態に係る空気調和機の室内機の冷媒漏洩検知手段の内部構成図である。
【発明を実施するための形態】
【００１０】
以下、図面を参照して、本発明の実施の形態について説明する。なお、各図中、同一または相当する部分には、同一符号を付して、その説明を適宜省略または簡略化する。また、各図に記載の構成について、その形状、大きさ、及び配置等は、本発明の範囲内で適宜変更することができる。
【００１１】
実施の形態．
図１は、本発明の実施の形態に係る空気調和機の室内機であって、筐体の前面部を取り外した状態を示した斜視図である。図２は、本発明の実施の形態に係る空気調和機の室内機の内部構成を示した斜視図である。図３は、本発明の実施の形態に係る空気調和機の室内機の内部構成を示した正面図である。図４は、図３に示したＡ−Ａ線矢視断面である。図５は、図３に示したＢ−Ｂ線矢視断面である。図６は、図２のＣ部拡大図である。図７は、図３のＤ部拡大図である。図８は、図３のＤ部を側面方向から見た状態を示した拡大図である。図９は、図３のＤ部におけるＥ−Ｅ線矢視断面である。図１０は、本発明の実施の形態に係る空気調和機の室内機のドレンパンの断面図である。
【００１２】
本実施の形態に係る空気調和機の室内機１００は、屋外に設置された図示省略の室外機と冷媒配管で接続されて冷凍サイクルを構成するものである。本実施の形態に係る空気調和機の室内機１００では、冷媒として地球温暖化係数の小さい可燃性冷媒が用いられている。可燃性冷媒とは、空気に対する濃度が所定の範囲である状態において、周囲に着火源があると燃焼する冷媒のことである。可燃性冷媒は、例えばＨＦＯ１２３４ｙｆ、ＨＦＦ１１２３ｚｆ等の単一冷媒、若しくはこれらとＲ３２などのＨＦＣ混合冷媒、又はプロパン（Ｒ２９０）のような炭化水素系冷媒などがある。また、微燃性冷媒も可燃性冷媒に含まれる。
【００１３】
本実施の形態の空気調和機の室内機１００は、図１に示すように、全体として直方体形状の外観をなし、空調対象空間１６の壁面を背にして床面上に設置される床置き形である。この室内機１００は、図１〜図５に示すように、筐体１と、熱交換器２と、フレア接続部３と、ドレンパン４と、送風装置５と、冷媒漏洩検知手段６と、制御装置７と、を備えている。
【００１４】
筐体１は、図１に示すように、前面側と背面側とで前後方向に分割された構成であり、前面側を形成する前面部１０と、背面側を形成する背面部１１と、を有している。前面部１０は、背面部１１に対して着脱可能である。筐体１には、前面側に位置し、内部に空気を取り込む吸込口１２と、吸込口１２よりも上方に位置し、外部に空気を放出する吹出口１３と、が形成されている。図示例の場合、吸込口１２と吹出口１３は、前面部１０に形成されている。そして、筐体１の内部には、図５に示すように、吸込口１２から吹出口１３に至る風路１５が形成されている。また、筐体１の内部は、図３及び図４に示すように、前後方向と直交する横幅方向に区画された熱交換器室Ｘ及び機械室Ｙを有している。熱交換器室Ｘは、前面側から見て左側に位置している。機械室Ｙは、前面側から見て右側に位置している。熱交換器室Ｘには、熱交換器２、ドレンパン４及び送風装置５が配置されている。機械室Ｙには、上方に制御装置７等の機械部品が設けられ、下方にフレア接続部３及び冷媒漏洩検知手段６が設けられている。
【００１５】
図１に示すように、筐体１の機械室Ｙ側の側面には、空調対象空間１６と機械室Ｙとを連通させ、空調対象空間１６の空気を筐体１の内部に取り入れる空気取込孔１４が形成されている。空気取込孔１４は、筐体１の前面部１０であって、制御装置７の下方に形成されている。図３に示すように、空気取込孔１４の近傍には、例えばサーミスタ等から成る温度検知手段８が設けられている。
【００１６】
熱交換器２は、冷房運転時には蒸発器として機能し、暖房運転時には凝縮器として機能して、冷媒と空気との間で熱交換を行わせるものである。熱交換器２は、例えばフィンチューブ型であり、間隔をあけて並設された複数のフィンと、並列させたフィンを直交方向に貫通し、内部に冷媒が流入する複数の伝熱管と、を備えている。熱交換器２は、図５に示すように、前面側熱交換器２０及び背面側熱交換器２１を有しており、側面視においてＶ字状となるように配置されている。前面側熱交換器２０及び背面側熱交換器２１は、例えば両者を一体化させたユニットとして筐体１の内部に取り付けてもよいし、それぞれ別個に筐体１の内部に取り付けてもよい。
【００１７】
フレア接続部３は、図６〜図９に示すように、熱交換器２に冷媒を供給する連絡配管３０ａ及び３０ｂを、図示省略の室外機側に接続された接続配管３１ａ及び３１ｂに接続する接続部分である。フレア接続部３は、図１〜図４に示すように、機械室Ｙであって制御装置７の下方に配置されている。これは、複雑な構造である制御装置７と共に上方に配置してしまうと、冷媒配管の接続作業が困難となるからである。
【００１８】
連絡配管３０ａ及び３０ｂと、接続配管３１ａ及び３１ｂは、いずれも冷媒配管であり、それぞれ２本ずつ設けられている。連絡配管３０ａと接続配管３１ａは、液管である。連絡配管３０ｂと接続配管３１ｂは、ガス管である。連絡配管３０ａと接続配管３１ａとは、フレア接続されている。また、連絡配管３０ｂと接続配管３１ｂとは、フレア接続されている。フレア接続とは、例えば連絡配管３０ａ及び３０ｂの接続部にフレア継手のユニオンが固定され、接続配管３１ａ及び３１ｂの接続部にラッパ状のフレア部が形成され、フレア部の周囲を囲えるようにフレアナットが取り付けられた構成である。連絡配管３０ａと接続配管３１ａとは、フレア継手のユニオンとフレアナットとがネジ結合されている。また、連絡配管３０ｂと接続配管３１ｂとは、フレア継手のユニオンとフレアナットとがネジ結合されている。
【００１９】
ドレンパン４は、図１〜図３及び図５に示すように、熱交換器２の下方に配置され、熱交換器２に付着した結露水等を貯留するものである。ドレンパン４は、上面に開口を有する溝型の容器であり、前後方向と直交する横幅方向に長さを有している。ドレンパン４は、上面の開口が熱交換器２の下端に対向するように配置され、熱交換器２を伝って滴下された結露水を、上面の開口から受け取る構成である。ドレンパン４が受け取った結露水は、ドレンパン４に接続されたドレンホース４３によって屋外に排水される。
【００２０】
ドレンパン４は、図１０に示すように、内底面４０を背面側から前面側に向かって低くなるように傾斜させた構成とされている。これは、貯留した結露水を前面側に誘導させて、ドレンパン４の側面側に配置した冷媒漏洩検知手段６を結露水から保護するためである。また、仮に結露水がドレンパン４から溢れた場合に、使用者に結露水が溢れている事態を気付かせるためでもある。
【００２１】
また、ドレンパン４は、図１０に示すように、内底面４０を熱交換器室Ｘから機械室Ｙに向かって低くなるように傾斜させた構成とされている。これは、熱交換器２から漏洩してドレンパン４に流入した可燃性冷媒を冷媒漏洩検知手段６が配置されている機械室Ｙに導き、当該可燃性冷媒を冷媒漏洩検知手段６で素早く検知させるためである。
【００２２】
また、ドレンパン４は、図９及び図１０に示すように、内底面４０に熱交換器室Ｘから機械室Ｙに向かって長さを有する凸部４１が設けられている。これは、室内機１００の前後方向において、凸部４１の両側に形成された凹部４２で熱交換器２から漏洩した冷媒を分散させずに密集させて、冷媒の密度を高めるためである。これにより、冷媒漏洩検知手段６は、漏洩冷媒の検知精度を高めることができる。なお、凸部４１は、図示した１つに限定されず、複数並列させて設けてもよい。また、図示することは省略したが、凹部４２の内部に、更に一段下がる凹部を形成してもよい。また、ドレンパン４の内底面４０に、凸部４１を設けることなく、熱交換器室Ｘから機械室Ｙに向かって長さを有する凹部を形成してもよい。
【００２３】
送風装置５は、図５に示すように、風路１５内において、熱交換器２よりも上方に配置されている。つまり、送風装置５は、空気の流れの下流側に配置されている。室内機１００は、送風装置５が回転することにより、空調対象空間１６の空気が吸込口１２から風路１５内に吸い込まれる。空調対象空間１６の空気は、運転時、前面側熱交換器２０及び背面側熱交換器２１によって冷却又は加熱されて空調空気となり、吹出口１３から吹き出される。
【００２４】
冷媒漏洩検知手段６は、漏洩した可燃性冷媒を検知するものである。冷媒漏洩検知手段６は、図２〜図９に示すように、フレア接続部３に対向して配置され、且つドレンパン４の側面と筐体１の内側面１ａとの間に、少なくとも外郭の一部が収まるように配置されている。熱交換器２から漏洩してドレンパン４に流入した可燃性冷媒、及びフレア接続部３から漏洩した可燃性冷媒の両方を素早く検知するためである。
【００２５】
図１１は、本発明の実施の形態に係る空気調和機の室内機の冷媒漏洩検知手段の斜視図である。図１２は、本発明の実施の形態に係る空気調和機の室内機の冷媒漏洩検知手段の正面図である。図１３は、本発明の実施の形態に係る空気調和機の室内機の冷媒漏洩検知手段の平面図である。図１４は、本発明の実施の形態に係る空気調和機の室内機の冷媒漏洩検知手段の内部構成図である。
【００２６】
冷媒漏洩検知手段６は、図１１〜図１４に示すように、冷媒センサー６０と、冷媒センサー６０を内部に収容して保護するホルダ部材６１と、を有しており、例えば酸素濃度式又は可燃性ガス検知式等である。冷媒漏洩検知手段６は、ホルダ部材６１に取り付けられた板金から成る取付部材６２を介して筐体１の内側面１ａに固定されている。取付部材６２は、両端部にネジ等の固定部材を通すための孔部６２ａが形成されており、孔部６２ａに通した固定部材で筐体１の内側面１ａに固定される。
【００２７】
ホルダ部材６１には、ドレンパン４と対向する側に面に、複数のスリット６１ａが形成されている。これは、熱交換器２から漏洩してドレンパン４に流入した可燃性冷媒を、スリット６１ａを通じて素早く内部に取り込んで検知するためである。
【００２８】
冷媒漏洩検知手段６は、図１に示すように、空気取込孔１４よりも下方となる位置に配置されている。これは、空調対象空間１６に漏れた可燃性冷媒が空気と共に筐体１の内部に流入してきた場合に、空気よりも重い可燃性冷媒を冷媒漏洩検知手段６で効率良く検知するためである。
【００２９】
冷媒漏洩検知手段６は、制御装置７に配線で接続されている。冷媒漏洩検知手段６が検知した検知情報は、配線を介して制御装置７に送られる。
【００３０】
制御装置７は、図１〜図３に示すように、電装品箱に収納されている。制御装置７は、空気調和機の冷暖房運転等に必要な各構成部品の制御を行うものである。この制御装置７を有する電装品箱は、機械室Ｙにおいて上方に配置されている。これは、万が一、可燃性冷媒が漏洩した場合に、空気よりも重い冷媒ガスが室内機１００の内部の下方に溜まるので、発火源である制御装置７を冷媒ガスから遠ざけて、火災を未然に防ぐためである。また、制御装置７は、例えば冷媒漏洩検知手段６の検知情報に基づいて、可燃性冷媒が漏洩しているか否かを判断し、可燃性冷媒が漏洩していると判断すると、例えば送風装置５を駆動させる。
【００３１】
ところで、可燃性冷媒は、例えば熱交換器２から漏洩してドレンパン４に流入し、該ドレンパン４から溢れたり、室内機１００の内部に設けたフレア接続部３から漏洩したりするおそれがある。可燃性冷媒は、空気よりも比重が重いため、空調対象空間１６の床面周辺に流れて滞留しやすく、火災又は酸欠の原因を引き起こす場合がある。特に床置き形の室内機１００では、漏洩した可燃性冷媒が床面周辺又は室内機１００の内部に滞留しやすく、拡散し難い状況であり、火災又は酸欠の原因を引き起こしやすい原因となっていた。
【００３２】
そこで、本実施の形態に係る空気調和機の室内機１００は、前面側に位置する吸込口１２、吸込口１２よりも上方に位置する吹出口１３、及び吸込口１２から吹出口１３に至る風路１５が形成された筐体１を備えている。また、風路１５に設けられた熱交換器２と、熱交換器２に冷媒を供給する連絡配管３０ａ及び３０ｂを室外機側に接続された接続配管３１ａ及び３１ｂに接続するフレア接続部３と、熱交換器２の下方に配置されたドレンパン４と、漏洩した冷媒を検知する冷媒漏洩検知手段６と、冷媒漏洩検知手段６の検知情報に基づいて冷媒が漏洩しているか否かを判断する制御装置７と、を備えている。筐体１は、前後方向と直交する横幅方向に区画された熱交換器室Ｘ及び機械室Ｙを有している。熱交換器室Ｘには、熱交換器２及びドレンパン４が配置されている。機械室Ｙには、上方に制御装置７が配置され、下方にフレア接続部３及び冷媒漏洩検知手段６が配置されている。冷媒漏洩検知手段６は、フレア接続部３に対向して配置され、且つドレンパン４の側面と筐体１の内側面１ａとの間に、少なくとも外郭の一部が収まるように配置されている。
【００３３】
つまり、本実施の形態に係る空気調和機の室内機１００は、冷媒漏洩検知手段６が、フレア接続部３に対向して配置され、且つドレンパン４の側面と筐体１の内側面１ａとの間に、少なくとも外郭の一部が収まるように配置されているので、熱交換器２から漏洩してドレンパン４に流入した可燃性冷媒、及びフレア接続部３から漏洩した可燃性冷媒のいずれも素早く検知することができる。
【００３４】
また、筐体１には、空調対象空間１６と機械室Ｙとを連通させ、空調対象空間１６の空気を内部に取り入れる空気取込孔１４が形成されている。冷媒漏洩検知手段６は、空気取込孔１４よりも下方となる位置に配置されている。よって、本実施の形態に係る空気調和機の室内機１００では、空調対象空間１６に漏れた冷媒ガスを空気と共に筐体１の内部に流入させることができ、空気よりも重い冷媒ガスを空気取込孔１４よりも下方に配置した冷媒漏洩検知手段６で効率良く検知できる。
【００３５】
また、ドレンパン４は、内底面４０を背面側から前面側に向かって低くなるように傾斜させた構成とされている。よって、本実施の形態に係る空気調和機の室内機１００では、貯留した結露水を前面側に誘導することができるので、ドレンパン４の側面と筐体１の内側面１ａとの間に配置した冷媒漏洩検知手段６を結露水から保護することができ、冷媒漏洩検知手段６に結露水がかかって故障する事態を未然に防止することができる。
【００３６】
また、冷媒漏洩検知手段６は、冷媒センサー６０と、冷媒センサー６０を内部に収容して保護するホルダ部材６１と、を有している。ホルダ部材６１には、ドレンパン４と対向する側の側面にスリット６１ａが形成されている。よって、本実施の形態に係る空気調和機の室内機１００は、熱交換器２から漏洩してドレンパン４に流入した可燃性冷媒を、スリット６１ａを通じてホルダ部材６１の内部に素早く取り込むことができるので、可燃性冷媒を素早く検知することができる。
【００３７】
また、ドレンパン４は、内底面４０を熱交換器室Ｘから機械室Ｙに向かって低くなるように傾斜させた構成とされている。よって、本実施の形態に係る空気調和機の室内機１００は、熱交換器２から漏洩してドレンパン４に流入した可燃性冷媒を機械室Ｙに導くことができるので、当該可燃性冷媒を冷媒漏洩検知手段６で素早く検知することができる。
【００３８】
また、ドレンパン４の内底面４０には、熱交換器室Ｘから機械室Ｙに向かって長さを有する凸部４１が設けられている。よって、本実施の形態に係る空気調和機の室内機１００は、凸部４１の両側に形成された凹部４２で、熱交換器２から漏洩した冷媒を分散させずに密集させて冷媒の密度を高めることができるので、冷媒漏洩検知手段６の検知精度を高めることができる。
【００３９】
以上に本発明を実施の形態に基づいて説明したが、本発明は上述した実施の形態の構成に限定されるものではない。例えば空気調和機の室内機１００は、上述した内容に限定されるものではなく、他の構成要素を含んでもよい。また、筐体１は、図示した構成に限定されず、例えば箱形の背面部の前面をパネル状の前面部で覆う構成でもよいし、他の形態でもよい。また、ドレンパン４は、必ずしも内底面４０を傾斜させる必要はなく、水平面としてよい。また、ドレンパン４の内底面４０に凸部４１又は凹部４２を設けずに、実施することもできる。更に、筐体１に空気取込孔１４を形成することなく実施することもできる。要するに、本発明は、その技術的思想を逸脱しない範囲において、当業者が通常に行う設計変更及び応用のバリエーションの範囲を含むものである。
【符号の説明】
【００４０】
１  筐体、１ａ  内側面、２  熱交換器、３  フレア接続部、４  ドレンパン、５  送風装置、６  冷媒漏洩検知手段、７  制御装置、８  温度検知手段、１０  前面部、１１  背面部、１２  吸込口、１３  吹出口、１４  空気取込孔、１５  風路、１６  空調対象空間、２０  前面側熱交換器、２１  背面側熱交換器、３０ａ、３０ｂ  連絡配管、３１ａ、３１ｂ  接続配管、４０  内底面、４１  凸部、４２  凹部、４３  ドレンホース、６０  冷媒センサー、６１  ホルダ部材、６１ａ  スリット、６２  取付部材、６２ａ  孔部、１００  室内機、Ｘ  熱交換器室、Ｙ  機械室。
【図１】
2020179007.tif 000003
【図２】
2020179007.tif 000004
【図３】
2020179007.tif 000005
【図４】
2020179007.tif 000006
【図５】
2020179007.tif 000007
【図６】
2020179007.tif 000008
【図７】
2020179007.tif 000009
【図８】
2020179007.tif 000010
【図９】
2020179007.tif 000011
【図１０】
2020179007.tif 000012
【図１１】
2020179007.tif 000013
【図１２】
2020179007.tif 000014
【図１３】
2020179007.tif 000015
【図１４】
2020179007.tif 000016
【国際調査報告】
2020179007.tif 000017
2020179007.tif 000018
2020179007.tif 000019
2020179007.tif 000020